(57)【要約】【課題】無線装置制御装置ＲＥＣが、無線装置ＲＥによって受信された上り信号の受信電力自身を把握する。【解決手段】本発明に係る無線基地局ＢＴＳにおいて無線装置ＲＥは、移動局ＵＥによって送信された上り信号の受信信号強度を測定するように構成されており、上り信号に対して復調処理（直交復調処理）を施すことによって得られたＩＱデータをマッピングするためのＩＱデータ領域及び制御情報をマッピングするための制御領域を含むフレームを用いて、無線装置制御装置ＲＥＣに対して、ＩＱデータ及び制御情報を送信するように構成されているＴＲＸ機能部１３とを具備し、ＴＲＸ機能部１３は、測定された受信信号強度を示す情報（ＲＳＳＩ）を、制御領域内の固定領域にマッピングするように構成されていることを要旨とする。【選択図】図２
2010114856.tif 000002
【特許請求の範囲】
【請求項１】
無線装置と無線装置制御装置とを具備する無線基地局であって、
前記無線装置は、
移動局によって送信された上り信号の受信信号強度を測定するように構成されている測定部と、
前記上り信号に対して復調処理を施すことによって得られたＩＱデータをマッピングするためのＩＱデータ領域及び制御情報をマッピングするための制御領域を含むフレームを用いて、前記無線装置制御装置に対して、該ＩＱデータ及び該制御情報を送信するように構成されている送信部とを具備し、
前記送信部は、前記測定部によって測定された前記受信信号強度を示す情報を、前記制御領域内の固定領域にマッピングするように構成されていることを特徴とする無線基地局。
【請求項２】
前記送信部は、前記上り信号に対してＡＧＣ処理を施した後に復調処理を施すことによって得られた前記ＩＱデータを、前記ＩＱデータ領域にマッピングするように構成されていることを特徴とする請求項１に記載の無線基地局。
【請求項３】
前記測定部は、受信アンテナと使用キャリアとの組み合わせごとに、前記受信信号強度を測定するように構成されており、
前記送信部は、測定された全ての前記受信信号強度を示す情報を、それぞれ前記制御領域内の固定領域にマッピングするように構成されていることを特徴とする請求項１に記載の無線基地局。
【請求項４】
無線基地局内に設けられる無線装置であって、
移動局によって送信された上り信号の受信信号強度を測定するように構成されている測定部と、
前記上り信号に対して復調処理を施すことによって得られたＩＱデータをマッピングするためのＩＱデータ領域及び制御情報をマッピングするための制御領域を含むフレームを用いて、前記無線基地局内に設けられている無線装置制御装置に対して、該ＩＱデータ及び該制御情報を送信するように構成されている送信部とを具備し、
前記送信部は、前記測定部によって測定された前記受信信号強度を示す情報を、前記制御領域内の固定領域にマッピングするように構成されていることを特徴とする無線装置。
【請求項５】
前記送信部は、前記上り信号に対してＡＧＣ処理を施した後に復調処理を施すことによって得られた前記ＩＱデータを、前記ＩＱデータ領域にマッピングするように構成されていることを特徴とする請求項４に記載の無線装置。
【請求項６】
前記測定部は、受信アンテナと使用キャリアとの組み合わせごとに、前記受信信号強度を測定するように構成されており、
前記送信部は、測定された全ての前記受信信号強度を示す情報を、それぞれ前記制御領域内の固定領域にマッピングするように構成されていることを特徴とする請求項４に記載の無線装置。
【請求項７】
無線基地局内に設けられる無線装置制御装置であって、
前記無線基地局内に設けられる無線装置から受信したフレームから、該無線装置によって移動局からの上り信号に対して復調処理を施すことによって得られたＩＱデータ及び制御情報を抽出するように構成されている抽出部を具備し、
前記抽出部は、抽出した前記制御情報に含まれており、前記無線装置によって測定された前記上り信号の受信信号強度を示す情報を抽出するように構成されていることを特徴とする無線装置制御装置。
【請求項８】
前記受信信号強度を示す情報を用いた呼処理を行うように構成されている呼処理機能部を具備することを特徴とする請求項７に記載の無線装置制御装置。
【発明の詳細な説明】
【技術分野】
【０００１】
本発明は、無線装置ＲＥ（Ｒａｄｉｏ  Ｅｑｕｉｐｍｅｎｔ）と無線装置制御装置ＲＥＣ（Ｒａｄｉｏ  Ｅｑｕｉｐｍｅｎｔ  Ｃｏｎｔｒｏｌ）とを具備する無線基地局、無線装置ＲＥ及び無線装置制御装置ＲＥＣに関する。
【背景技術】
【０００２】
従来、無線装置ＲＥと無線装置制御装置ＲＥＣとを具備しており、無線装置ＲＥと無線装置制御装置ＲＥＣとの間で光回線或いは電気回線を介して信号を送受信するように構成されている無線基地局ＢＴＳ（Ｂａｓｅ  Ｔｒａｎｓｃｅｉｖｅｒ  Ｓｔａｔｉｏｎ）が知られている。
【０００３】
かかる無線基地局ＢＴＳでは、無線装置ＲＥが、移動局ＵＥによって送信された上り信号を受信し、かかる上り信号に対して復調処理を施すことによって得られたＩＱデータを、無線装置制御装置ＲＥＣに対して送信するように構成されている。
【特許文献１】特表２００７-５０７９５７号公報
【発明の開示】
【発明が解決しようとする課題】
【０００４】
しかしながら、ＩＱデータは、無線装置ＲＥによって受信された上り信号の相対的な受信電力を示すものであるため、無線装置制御装置ＲＥＣは、かかる上り信号の受信電力自身を把握することができないという問題点があった。
【０００５】
その結果、無線装置制御装置ＲＥＣは、ＥＵＬ（Ｅｎｈａｎｃｅｄ  Ｕｐｌｉｎｋ）サービスの提供や、総トラフィック量に基づく呼処理制御や保守監視制御を行うことができない。
【０００６】
そこで、本発明は、上述の課題に鑑みてなされたものであり、無線装置制御装置ＲＥＣが、無線装置ＲＥによって受信された上り信号の受信電力自身を把握することができる無線基地局、無線装置ＲＥ及び無線装置制御装置ＲＥＣを提供することを目的とする。
【課題を解決するための手段】
【０００７】
本発明の第１の特徴は、無線装置と無線装置制御装置とを具備する無線基地局であって、前記無線装置は、移動局によって送信された上り信号の受信信号強度を測定するように構成されている測定部と、前記上り信号に対して復調処理を施すことによって得られたＩＱデータをマッピングするためのＩＱデータ領域及び制御情報をマッピングするための制御領域を含むフレームを用いて、前記無線装置制御装置に対して、該ＩＱデータ及び該制御情報を送信するように構成されている送信部とを具備し、前記送信部は、前記測定部によって測定された前記受信信号強度を示す情報を、前記制御領域内の固定領域にマッピングするように構成されていることを要旨とする。
【０００８】
本発明の第２の特徴は、無線基地局内に設けられる無線装置であって、移動局によって送信された上り信号の受信信号強度を測定するように構成されている測定部と、前記上り信号に対して復調処理を施すことによって得られたＩＱデータをマッピングするためのＩＱデータ領域及び制御情報をマッピングするための制御領域を含むフレームを用いて、前記無線基地局内に設けられている無線装置制御装置に対して、該ＩＱデータ及び該制御情報を送信するように構成されている送信部とを具備し、前記送信部は、前記測定部によって測定された前記受信信号強度を示す情報を、前記制御領域内の固定領域にマッピングするように構成されていることを要旨とする。
【０００９】
本発明の第３の特徴は、無線基地局内に設けられる無線装置制御装置であって、前記無線基地局内に設けられる無線装置から受信したフレームから、該無線装置によって移動局からの上り信号に対して復調処理を施すことによって得られたＩＱデータ及び制御情報を抽出するように構成されている抽出部を具備し、前記抽出部は、抽出した前記制御情報に含まれており、前記無線装置によって測定された前記上り信号の受信信号強度を示す情報を抽出するように構成されていることを要旨とする。
【発明の効果】
【００１０】
以上説明したように、本発明によれば、無線装置制御装置ＲＥＣが、無線装置ＲＥによって受信された上り信号の受信電力自身を把握することができる無線基地局、無線装置ＲＥ及び無線装置制御装置ＲＥＣを提供することができる。
【発明を実施するための最良の形態】
【００１１】
（本発明の第１の実施形態に係る無線基地局の構成）
図１乃至図５を参照して、本発明の第１の実施形態に係る無線基地局ＢＴＳの構成について説明する。
【００１２】
図１に示すように、本実施形態に係る無線基地局ＢＴＳは、無線装置ＲＥと、無線装置制御装置ＲＥＣとを具備している。ここで、無線装置ＲＥと無線装置制御装置ＲＥＣとは、別々の装置であり、光回線或いは電気回線等によって互いに接続されている。
【００１３】
無線装置ＲＥは、受信系統の機能として、受信アンテナ１０と、フィルタ１１と、ＬＮＡ（Ｌｏｗ  Ｎｏｉｓｅ  Ａｍｐｌｉｆｉｅｒ、低雑音増幅器）１２と、ＴＲＸ機能部１３とを具備している。
【００１４】
フィルタ１１は、移動局ＵＥによって送信されて受信アンテナ１０によって受信された上り信号から妨害波信号を除去するように構成されている。
【００１５】
ＬＮＡ１２は、フィルタ１１から入力された信号において希望波信号を増幅するように構成されている。
【００１６】
ＴＲＸ機能部１３は、図２に示すように、周波数変換部１３Ａと、ＡＧＣ（Ａｕｔｏｍａｔｉｃ  Ｇａｉｎ  Ｃｏｎｔｒｏｌ）部１３Ｂと、直交復調部１３Ｃと、ＡＤ変換部１３Ｄと、ＲＳＳＩ測定部１３Ｅと、送信部１３Ｆとを具備している。
【００１７】
周波数変換部１３Ａは、ＬＮＡ１２から入力された無線周波数信号を、ベースバンド信号に変換するように構成されている。
【００１８】
ＡＧＣ部１３Ｂは、周波数変換部１３Ａから入力された信号に対して、ＡＧＣ処理を施すことによって、一定の出力レベルの信号を出力するように構成されている。ここで、ＡＧＣ処理は、信号の入力レベルに応じて、かかる信号の出力レベルを変更する処理である。
【００１９】
なお、ＡＧＣ部１３Ｂは、上り信号のダイナミックレンジ（３ＧＰＰでは、３０ｄＢ以上）及び使用可能なビット数（伝送路速度）に基づいて、周波数変換部１３Ａから入力された信号に対して、ＡＧＣ処理を施すか否かについて決定するように構成されていてもよい。
【００２０】
直交復調部１３Ｃは、ＡＧＣ部１３Ｂから入力された信号に対して、復調処理（直交復調処理）を施すように構成されている。
【００２１】
ＡＤ変換部１３Ｄは、直交復調部１３Ｃから入力された信号に対して、ＡＤ変換処理（アナログ-デジタル変換処理）を施して、ＩＱデータを出力するように構成されている。
【００２２】
ＲＳＳＩ測定部１３Ｅは、周波数変換部１３Ａから出力された信号の受信信号強度を測定し、かかる受信信号強度を示す情報である「ＲＳＳＩ（Ｒｅｃｅｉｖｅｄ  Ｓｉｇｎａｌ  Ｓｔｒｅｎｇｔｈ  Ｉｎｄｉｃａｔｏｒ）を出力するように構成されている。
【００２３】
送信部１３Ｆは、ＡＤ変換部１３Ｄから出力されたＩＱデータ及びＲＳＳＩ測定部１３Ｅから出力されたＲＳＳＩを、無線装置制御装置ＲＥＣに対して送信するように構成されている。
【００２４】
ここで、無線装置ＲＥと無線装置制御装置ＲＥＣとの間で用いられるプロトコルスタックについて、図３に示す。
【００２５】
図３の例では、送信部１３Ｆは、レイヤ３間通信において、無線装置制御装置ＲＥＣに対して、「ユーザプレーン（Ｕｓｅｒ  Ｐｌａｎｅ）」と「制御及び管理プレーン（Ｃｏｎｔｒｏｌ  ＆  Ｍａｎａｇｅｍｅｎｔ  Ｐｌａｎｅ）」と「同期情報（ＳＹＮＣ）」とを送信するように構成されている。
【００２６】
具体的には、送信部１３Ｆは、上位レイヤ（レイヤ４）から受信したアプリケーション情報を、「ユーザプレーン」、「制御及び管理プレーン」又は「同期情報」のいずれかにマッピングするように構成されている。
【００２７】
また、送信部１３Ｆは、レイヤ２間通信において、無線装置制御装置ＲＥＣに対して、ＩＱデータ及び制御情報を送信するように構成されている。
【００２８】
ここで、かかる制御情報には、図３に示すように、ベンダー専用制御情報（Ｖｅｎｄｅｒ  Ｓｐｅｃｉｆｉｃ）と、ＬＡＰＢプロトコル用制御情報（ＬＡＰＢ  Ｐｒｏｔｏｃｏｌ）と、ＨＤＬＣプロトコル用制御情報（ＨＤＬＣ）と、Ｌ１インバンドプロトコル用制御情報（Ｌ１  Ｉｎｂａｎｄ  Ｐｒｏｔｏｃｏｌ）とが含まれている。
【００２９】
なお、Ｌ１インバンドプロトコルは、レイヤ１におけるリンク状態の保守等を行うためのプロトコルである。
【００３０】
また、送信部１３Ｆは、レイヤ１間通信において、無線装置制御装置ＲＥＣに対して、光伝送及び時分割多重方式が用いて、レイヤ２から受信した情報を送信するように構成されている。
【００３１】
具体的には、図４に示すように、送信部１３Ｆは、ＩＱデータをマッピングするためのＩＱデータ領域及び制御情報をマッピングするための制御領域を含むフレームを用いて、無線装置制御装置ＲＥＣに対して、レイヤ３から受信した情報（「ユーザプレーン」、「制御及び管理プレーン」又は「同期情報」）を送信するように構成されている。
【００３２】
ここで、送信部１３Ｆは、ＲＳＳＩ測定部１３Ｅから出力されたＲＳＳＩを、制御領域内の固定領域、具体的には、ベンダー専用制御情報をマッピングするための領域（Ｖｅｎｄｅｒ  Ｓｐｅｃｉｆｉｃ）にマッピングするように構成されている。
【００３３】
図４に示すように、送信部１３Ｆは、１０ｍｓ毎に、「ＢＦＮ（ＮｏｄｅＢ  Ｆｒａｍｅ  Ｎｕｍｂｅｒ）」によって特定される１個の無線基地局フレーム（ＮｏｄｅＢ  Ｆｒａｍｅ）を送信するように構成されている。
【００３４】
なお、１個の無線基地局フレームは、１５０個のハイパーフレーム（Ｈｙｐｅｒ  Ｆｒａｍｅ）によって構成されており、１個のハイパーフレームは、２５６個の基本フレーム（Ｂａｓｉｃ  Ｆｒａｍｅ）によって構成されている。
【００３５】
ここで、各ハイパーフレームは、「ＨＦＮ（Ｈｙｐｅｒ  Ｆｒａｍｅ  Ｎｕｍｂｅｒ）」によって特定され、各基本フレームは、「Ｂａｓｉｃ  Ｆｒａｍｅ  Ｎｕｍｂｅｒ」によって特定される。
【００３６】
図５に、１個のハイパーフレームを構成する２５６個の基本フレームを示す。図５の例では、基本フレーム＃１、＃６５、＃１２９及び＃１９３は、ＨＤＬＣプロトコル用制御情報（ＨＤＬＣ）をマッピングするための領域であり、基本フレーム＃２、＃６６、＃１３９及び＃１９４は、Ｌ１インバンドプロトコル用制御情報（Ｌ１  Ｉｎｂａｎｄ  Ｐｒｏｔｏｃｏｌ）をマッピングするための領域であり、基本フレーム＃１６乃至２２、＃８０乃至８６、＃１４４乃至＃１５０、及び、＃２０８乃至２１４は、ベンダー専用制御情報（Ｖｅｎｄｅｒ  Ｓｐｅｃｉｆｉｃ）をマッピングするための領域である。
【００３７】
ここで、送信部１３Ｆは、ＲＳＳＩ測定部１３Ｅから出力されたＲＳＳＩを、基本フレーム＃１６、＃１７、＃８０、＃８１、＃１４４、＃１４５、＃２０８及び＃２０９にマッピングするように構成されている。
【００３８】
なお、送信部１３Ｆは、ＲＳＳＩ測定部１３Ｅから出力されたＲＳＳＩを、上述の「制御及び管理プレーン」にマッピングすることも可能であるが、「制御及び管理プレーン」には、他の保守監視信号もマッピングされるため、無線装置制御装置ＲＥＣは、かかるＲＳＳＩが送信されるタイミングを特定することができない。
【００３９】
また、図５の例では、その他の基本フレーム（予備用の基本フレーム及びＬＡＰＢプロトコル用制御情報（ＬＡＰＢ  Ｐｒｏｔｏｃｏｌ）をマッピングするための基本フレーム以外）は、ＩＱデータをマッピングするための領域である。
【００４０】
したがって、送信部１３Ｆは、ＡＤ変換部１３Ｄから出力されたＩＱデータを、これらの基本フレームにマッピングするように構成されている。
【００４１】
なお、ＲＳＳＩ測定部１３Ｅは、受信アンテナ１０と使用キャリアとの組み合わせごとに、受信信号強度を測定するように構成されているため、送信部１３Ｆは、測定された全ての受信信号強度を示す情報（ＲＳＳＩ）を、それぞれ制御領域内の固定領域にマッピングするように構成されている。
【００４２】
また、送信部１３Ｆは、１個の無線基地局フレーム内で、１回だけ、ＲＳＳＩを通知するように構成されていてもよい。
【００４３】
図１に示すように、無線装置制御装置ＲＥＣは、ベースバンド部２１と、呼処理機能部２２とを具備している。
【００４４】
ベースバンド部２１は、無線装置ＲＥから受信したフレームから、ＩＱデータ及び制御情報を抽出するように構成されている。具体的には、ベースバンド部２１は、抽出した制御情報に含まれており、無線装置ＲＥによって測定された上り信号の受信信号強度を示す情報（ＲＳＳＩ）を抽出するように構成されている。
【００４５】
また、ベースバンド部２１は、無線装置ＲＥによって送信されたＩＱデータに対して、ベースバンド処理を行うように構成されている。
【００４６】
また、呼処理機能部２２は、ベースバンド処理部２１から出力された信号に対して、呼処理を行うように構成されている。
【００４７】
ここで、ベースバンド部２１及び呼処理機能部２２は、無線装置ＲＥによって送信されたＲＳＳＩに基づいて、ＥＵＬサービスを提供するための処理や、総トラフィック量に基づく呼処理制御や保守監視制御を行うための処理を行うように構成されている。
【００４８】
（本発明の第１の実施形態に係る無線基地局の作用・効果）
本発明の第１の実施形態に係る無線基地局によれば、無線装置制御装置ＲＥＣが、無線装置ＲＥによって送信されたＲＳＳＩに基づいて、無線装置ＲＥによって受信された上り信号の受信電力自身（絶対電力）を把握することができ、かかる絶対電力を参照して、ＥＵＬサービスを提供することや、総トラフィック量に基づく呼処理制御や保守監視制御を行うことが可能となる。
【００４９】
また、本発明の第１の実施形態に係る無線基地局によれば、上り信号の受信信号強度が、受信アンテナ１０に近い無線装置ＲＥ側で測定されるため、無線装置制御装置ＲＥＣ側で算出される場合と比べて、上り信号の受信信号強度の算出精度が高くなる。
【００５０】
また、本発明の第１の実施形態に係る無線基地局によれば、ＲＳＳＩが、フレーム内の制御領域内の固定領域にマッピングされて通知されるため、無線装置制御装置ＲＥＣが、ＲＳＳＩが送信されるタイミングを把握することができ、上り信号の受信信号強度の算出精度が高くなる。
【００５１】
以上に述べた本実施形態の特徴は、以下のように表現されていてもよい。
【００５２】
本実施形態の第１の特徴は、無線装置ＲＥと無線装置制御装置ＲＥＣとを具備する無線基地局ＢＴＳであって、無線装置ＲＥは、移動局ＵＥによって送信された上り信号の受信信号強度を測定するように構成されており、上り信号に対して復調処理（直交復調処理）を施すことによって得られたＩＱデータをマッピングするためのＩＱデータ領域及び制御情報をマッピングするための制御領域を含むフレームを用いて、無線装置制御装置ＲＥＣに対して、ＩＱデータ及び制御情報を送信するように構成されているＴＲＸ機能部１３を具備し、ＴＲＸ機能部１３は、測定された受信信号強度を示す情報（ＲＳＳＩ）を、制御領域内の固定領域にマッピングするように構成されていることを要旨とする。
【００５３】
本実施形態の第１の特徴において、ＴＲＸ機能部１３は、上り信号に対してＡＧＣ処理を施した後に復調処理を施すことによって得られたＩＱデータを、ＩＱデータ領域にマッピングするように構成されていてもよい。
【００５４】
本実施形態の第１の特徴において、ＴＲＸ機能部１３は、受信アンテナ１０と使用キャリアとの組み合わせごとに、受信信号強度を測定するように構成されており、測定された全ての受信信号強度を示す情報（ＲＳＳＩ）を、それぞれ制御領域内の固定領域にマッピングするように構成されていてもよい。
【００５５】
本実施形態の第２の特徴は、無線基地局ＢＴＳ内に設けられる無線装置ＲＥであって、移動局ＵＥによって送信された上り信号の受信信号強度を測定するように構成されており、上り信号に対して復調処理（直交復調処理）を施すことによって得られたＩＱデータをマッピングするためのＩＱデータ領域及び制御情報をマッピングするための制御領域を含むフレームを用いて、無線基地局ＢＴＳ内に設けられている無線装置制御装置ＲＥＣに対して、ＩＱデータ及び制御情報を送信するように構成されているＴＲＸ機能１３を具備し、ＴＲＸ機能１３は、測定された受信信号強度を示す情報（ＲＳＳＩ）を、制御領域内の固定領域にマッピングするように構成されていることを要旨とする。
【００５６】
本実施形態の第２の特徴において、ＴＲＸ機能部１３は、上り信号に対してＡＧＣ処理を施した後に復調処理を施すことによって得られたＩＱデータを、ＩＱデータ領域にマッピングするように構成されていてもよい。
【００５７】
本実施形態の第２の特徴において、ＴＲＸ機能部１３は、受信アンテナ１０と使用キャリアとの組み合わせごとに、受信信号強度を測定するように構成されており、測定された全ての受信信号強度を示す情報（ＲＳＳＩ）を、それぞれ制御領域内の固定領域にマッピングするように構成されていてもよい。
【００５８】
本実施形態の第３の特徴は、無線基地局ＢＴＳ内に設けられる無線装置制御装置ＲＥＣであって、無線基地局ＢＴＳ内に設けられる無線装置ＲＥから受信したフレームから、無線装置ＲＥによって移動局ＵＥからの上り信号に対して復調処理（直交復調処理）を施すことによって得られたＩＱデータ及び制御情報を抽出するように構成されているベースバンド部２１を具備し、ベースバンド部２１は、抽出した制御情報に含まれており、無線装置ＲＥによって測定された上り信号の受信信号強度を示す情報（ＲＳＳＩ）を抽出するように構成されていることを要旨とする。
【００５９】
本実施形態の第３の特徴において、受信信号強度を示す情報（ＲＳＳＩ）を用いた呼処理を行うように構成されている呼処理機能部２２を具備してもよい。
【００６０】
なお、上述の無線基地局ＢＴＳの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＢＴＳ内に設けられていてもよい。また、かかる記憶媒体及びプロセッサは、ディスクリートコンポーネントとして無線基地局ＢＴＳ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６４】
【図１】本発明の第１の実施形態に係る無線基地局の機能ブロック図である。
【図２】本発明の第１の実施形態に係る無線基地局におけるＴＲＸ機能部の機能ブロック図である。
【図３】本発明の第１の実施形態に係る無線基地局内の無線装置と無線装置制御装置との間で用いられるプロトコルスタックを示す図である。
【図４】本発明の第１の実施形態に係る無線基地局におけるＴＲＸ機能部によるフレームの送信タイミングについて説明するための図である。
【図５】本発明の第１の実施形態に係る無線基地局におけるＴＲＸ機能部によって送信されるフレームにおけるＲＳＳＩ情報のマッピング方法について説明するための図である。
【符号の説明】
【００６５】
ＢＴＳ…無線基地局
ＲＥ…無線装置
１０…受信アンテナ
１１…フィルタ
１２…ＬＮＡ
１３…ＴＲＸ機能部
１３Ａ…周波数変換部
１３Ｂ…ＡＧＣ部
１３Ｃ…直交復調部
１３Ｄ…ＡＤ変換部
１３Ｅ…ＲＳＳＩ測定部
１３Ｆ…送信部
ＲＥＣ…無線装置制御装置
２１…ベースバンド部
２２…呼処理機能部
【図１】
2010114856.tif 000003
【図２】
2010114856.tif 000004
【図３】
2010114856.tif 000005
【図４】
2010114856.tif 000006
【図５】
2010114856.tif 000007